(57)【要約】【課題】 ブリーフ及びズボン下は陰嚢の下がり程度を調整し、脚の上端の上に陰嚢を支持し且つ保持し、かくして、睾丸が押し圧されるのを防止することができる一種の男性用ブリーフ及びズボン下を提供することにある。【解決手段】ウエスト部分と、正面部分及び背面部分を有する、支持ベルトが正面部分に結合されている、男性用ブリーフ及びズボン下である。支持ベルトの底部は円弧形状であり、支持と保持を容易にするように陰嚢の締まり位置の底部と脚の上端との間でバッグ部分を形成する。広がった支持ベルトの２つの端部は、支持ベルト及び支持力の安定性を容易にするように、正面部分及びウエスト部分に結合されている。支持ベルトは簡単に調節することができる。支持ベルトの広がり口の幅を調節することによって、支持ベルトの長さ又は伸縮性リボンの張力、適当な支持位置、及び心地よい支持力を得ることができる。【選択図】  図２
2006089911.tif 000002
【特許請求の範囲】
【請求項１】
ウエスト部分、正面部分及び背面部分を有し、正面部分の表面に支持ベルトを設置し、該支持ベルトは帯状の物で、その両端はラッパのように上に末広がり形状をなし、前記ウエスト部分に結合されている。また、該支持ベルトの底部は円弧形状をなし、陰嚢の締め付け部分の底部、脚の上端との間にくっついて位置し、陰嚢が垂れ下がるのを妨げ、正面部分と組み合わさって袋状部を構成し、該袋状部は陰嚢に対して支えとなっていることを特徴とする男性用下着。
【請求項２】
前記支持ベルト全長が正面部分とウェスト部分に固定して結合されることを特徴とする請求項1に記載の男性用下着。
【請求項３】
前記支持ベルトの底部は正面部分の表面上或いはタブを介して正面部分の表面上に固定して結合されていることを特徴とする請求項1に記載の男性用下着。
【請求項４】
前記支持ベルトとウェスト部分の結合点及び底部結合点の間の支持ベルトの両端部には位置決め具が設けられていることを特徴とする請求項3に記載の男性用下着。
【請求項５】
前記位置決め具が正面部分のタブ或いは切り込み口に取り付けられていることを特徴とする請求項4に記載の男性用下着。
【請求項６】
前記タブ或いは切り込み口の幅が前記支持ベルトの幅よりも大きいことを特徴とする請求項5に記載の男性用下着。
【請求項７】
前記支持ベルトの両端がウェスト部分に固定して結合され、その底部が弛めた状態で正面部分の表面上に取り付けられていることを特徴とする請求項1に記載の男性用下着。
【請求項８】
前記弛めた状態で正面部分に設置された前記支持ベルトには、長さ調節具を設置されていることを特徴とする請求項7に記載の男性用下着。
【請求項９】
前記支持ベルトの両端の切り込み口の幅が調節可能であることを特徴とする請求項1に記
載の男性用下着。
【請求項１０】
前記支持ベルトの長さが調節可能であることを特徴とする請求項1に記載の男性用下着。
【発明の詳細な説明】
【技術分野】
【０００１】
本発明は、一種の保護下着、特に一種の男性用ブリーフ及びズボン下に関する。
【背景技術】
【０００２】
男性の睾丸は、陰嚢がたるむと下がることが医学及び経験によって証明されている。睾丸がある程度下がると、睾丸は脚の上端によって押し圧っされやすくなるだろう。特に男性が座っている姿勢のときは、この問題は男性を不快にさせるばかりでなく、健康にも影響を及ぼす。
【０００３】
従来の男性用ブリーフは、主として、はいている間、柔軟性、軽量、及び汗の吸収性能等のような心地よさを主に考慮して、デザインされている。従って、それらのほとんどが材料の選択に基づかれ、つまり、心地よい材料がブリーフを作るのに採用される。しかし、三角形の形状にであろうと四角形の形状にであろうと、むしろ心地よい材料で作られたブリーフでも、陰嚢を脚の上端の上に支持し且つ保持する機能を持たず、従って上に述べた問題を解決することができない。
【発明の開示】
【発明が解決しようとする課題】
【０００４】
本発明の目的は、ブリーフ及びズボン下は陰嚢の下がり程度を調整し、脚の上端の上に陰嚢を支持し且つ保持し、かくして、睾丸が押し圧されるのを防止することができる一種の男性用ブリーフ及びズボン下を提供することにある。
【課題を解決するための手段】
【０００５】
本発明の技術面は、支持ベルトが男性用ブリーフ及びズボン下の正面部分に加えられることである。支持ベルトの底部が円弧形状を有し、正面部分の底部部分、すなわち、陰嚢の締め付け部分の底部と脚の上端との間の部分と一緒にバッグを形成する。支持ベルトの両端は、広がり形状を有し、且つ上に末広がりをなし、正面部分及びウエスト部分に結合されて、支持ベルト及び支持力の安定性を容易にする。支持ベルトは、容易に調節することができる。支持ベルトは、適当な支持位置及び十分な支持力が得られるように、支持ベルトの広がり口の幅、支持ベルトの長さ、或いは支持ベルトの張力を変化させることによって調節することができる。
【０００６】
男性用ブリーフ及びズボン下をはくとき、支持ベルトの底部締め付け部分は、陰嚢の締め付け部分の底部と脚の上端の上の股間との間に、支持ベルトを調節することによって位置決めされ、かくして睾丸の下がりに抵抗する。支持ベルトが陰嚢の下がりに抵抗する間、支持ベルトは、支持ベルト及び正面部分によって形成されるバッグと一緒に支持機能をも提供する。支持ベルト、正面部分及びウエスト部分の構造の組合せが陰嚢の下がりの範囲を効果的に調整し、且つ睾丸が脚の上端によって圧せられることを防止することができる。
【０００７】
本発明は以下の利点を有する。支持ベルトが男性用ブリーフ及びズボン下の正面部分に加えられるに過ぎないので、ブリーフの構造は非常に簡単である。陰嚢の下がりが支持ベルトによって拘束されるので、脚の上端の環境における、呼吸、通気性、及び温度降下の性能が著しく改善される。支持ベルト及び正面部分が一緒に結合されているので、はくのに非常に便利である。さらに、支持ベルトは、本発明が支持機能に向けられているので、材料について特別な要求を持たない。
【発明を実施するための最良の形態】
【０００８】
実施形態１  図１及び図２に示すように、本発明は、ウエスト部分（１）と、正面部分（２）と、背面部分（４）と、正面部分（２）と結合される支持ベルト（３）と、を有する。支持ベルト（３）は、正面部分（２）と結合されたベルト状部分である。支持ベルト（３）の両端は、広がり形状を有し、そして末広がりをなし、支持ベルト（３）の安定を容易にするために正面部分（２）及び正面部分のウエスト部分と結合されている。支持ベルトの底部は、円弧形状を有し、支持及び保持機能を容易にするために正面部分（２）の底部分とともにバッグを形成する。
【０００９】
本発明の支持ベルト（３）は結合の安定性を必要とするので、異なる結合手段をブリーフの異なる生地に従って使用してもよい。さらに、支持ベルトは、支持力及び支持位置についての様々な要求に従って調整すべきである。
【００１０】
例えば、本実施形態１に示す構造では、ブリーフの正面部分（２）はある種の普通の柔らかいメリヤス生地で作られている。支持ベルト（３）は低伸縮性材料で作られている。支持ベルト（３）全体は正面部分（２）及びウエスト部分（１）に固定され、バッグ部分（２１）は、支持ベルト（３）の底部の円弧部分（３１）によって囲まれた正面部分（２）の材料の伸縮性によって形成される。支持ベルト（３）によって囲まれるバッグ部分の底部は、陰嚢の締め付け位置の底部と脚の上端との間に位置すべきである。上記の構造で、ブリーフをはくとき、支持ベルトの底部は、ちょうど、陰嚢の締め付け位置の底部と脚の上端の上の股との間であり、かくして陰嚢の下がりに対して障害物を形成する。陰嚢の下がりに抵抗している間、支持ベルトは、支持ベルトと正面部分によって形成されたバッグとともに、陰嚢のための支持及び保持機能を提供する。
【００１１】
上述の結合手段で、支持ベルト（３）を伸縮性材料で作ってもよく、バッグ部分（２１）は、正面部分（２）の底部と、支持ベルト（３）の全長に沿って正面部分（２）及びウエスト部分（１）と結合された位置での支持ベルト（３）の伸縮とによって形成されている。すなわち、支持ベルト（３）が支持ベルト（３）の長さに沿って正面部分（２）及びウエスト部分（１）と結合されるときに、伸縮性ベルト（３１）を正面部分（２）とウエスト部分（１）との間で支持ベルト（３）の上に加えてもよい。
【００１２】
支持ベルト（３）の全長を固定する上述の結合手段を種々の要求を満たすように異なる身体に従って異なる仕様に設計してもよい。
【００１３】
図２は、着用されているときの本発明の第１の実施形態の図である。着用されるとき、支持ベルト（３）の底部の締め付け部分は、陰嚢の締め付け部分の底部と脚の上端の上の股との間にある。従って、締付部分の底部は陰嚢の下がりに抵抗する。支持ベルト（３）は、又、陰嚢の下がりに抵抗している間、支持ベルト（３）及び正面部分（２）によって形成されたバッグ（２１）とともに、陰嚢を保持する。支持ベルト（３）は調節できるので、支持ベルト（３）の構造は陰嚢の下がりの程度を調整することができ、かくして、睾丸が脚の上端によって押されないことを保証できる。
【００１４】
上述の説明で、支持ベルト（３）だけが男性のブリーフ及びズボン下の正面部分（２）に加えられるに過ぎないので、本発明の構造は非常に簡単であり、ブリーフの着用中着心地良さに影響を及ぼさない。同時に、支持ベルト（３）の構造が陰嚢の下がりに効果的に抑制することができるので、脚の上端の環境での、呼吸、通気性、及び温度降下の性能が著しく改善される。支持ベルト（３）と正面部分（２）が互いに結合されているので、はくのに非常に便利である。さらに、本発明は支持機能に目標が向けられているので、支持ベルトは材料について特別な要求がない。
【００１５】
実施形態２  本発明の第２の実施形態を図５に示す。本実施形態では、支持ベルト（３）が正面部分（２）とウエスト部分（１）に３点だけで結合され、支持ベルトの底部の円弧部分（３１）は、支持ベルト（３）の底部分の安定性を確保するように、正面部分（２）のバッグ部分の最低部に固定され且つ、結合されている。支持ベルトの上部広がり口はウエスト部分（１）に結合されている。支持ベルト（３）の支持位置を心地よくするために、ブリーフをはくときに支持ベルト（３）を調節すべきである。長さ調節具を支持ベルト（３）に取付けてもよく、支持ベルトの長さを調節することによって支持ベルト（３）の支持位置を調整してもよい。種々の既存の長さ調節方法を長さ調節具に利用してもよい。例えば、いくつかのフック（３２）が支持ベルト（３）の端部に取付けられ、いくつかの穴（１１）がウエスト部分（１）の長手方向に作られる。支持力を調節するように、異なる高さの穴にフック（３２）を引っ掛けることによって支持ベルトの長さを調節することができる。さらに、タップ、ナイロンタブ及びボタン等の、他の普通の長さ調節具を本発明の長さ調節具に使用してもよい。支持ベルト（３）を２つのセグメントで作り、一方のセグメントにいくつかの穴を作り、いくつかのフックを対応するセグメントに取付けてもよい。
【００１６】
本実施形態では、支持ベルト（３）が３点で正面部分（２）とウエスト部分（１）に結合されるので、正面部分（２）の頂部結合点と底部接合点との間の支持ベルト（３）の部分を安定化させるように支持ベルト（３）の頂部結合点と底部結合点との間に位置決め具が取付けられる。位置決め具は正面部分（２）に設けられた穴（２２）でもよく、支持ベルト（３）を穴（２２）に通し、正面部分（２）との安定な一体化を形成するようにする。位置決め具は正面部分に取付けられたタブであってもよく、タブの口の幅は、支持ベルト（３）が横方向にわずかな位置調節機能を有するように支持ベルト（３）の幅よりもわずかに大きい。
【００１７】
上に述べた構造では、この実施形態が良好な調節機能を有する。使い始めに、使用者は、種々の要求に従っていくらかの予備調節をすることができ、心地よくなるように調節された後は更なる調整は必要ない。この実施形態の構造はよりよい適合性を有し、使用者の種々の要望によくあうだろう。
【００１８】
実施形態３  この実施形態を図６に示すが、基本的には実施形態２と同じである。支持ベルト（３）は正面部分（２）及びウエスト部分（１）に３点で結合される。異なっているのは、次の通りである。支持ベルト（３）の底部の円弧部分（３１）が、支持ベルト（３）の底部の安定性を確保するように、正面部分のバッグ部分の底部にタブ具（２１）によって結合され、支持ベルト（３）の頂部広がり口はウエスト部分（１）に結合され、支持ベルト（３）の支持位置を心地よくするために、支持ベルト（３）をブリーフをはいている間調節すべきである。この実施形態において、支持ベルト（３）の頂部の広がり口の幅を調節するために、いくつかの穴（１１）がウエスト部分（１）に沿って水平方向に作られ、いくつかのフック（３２）を支持ベルト（３）の広がり口端に取付けてもよい。広がり口の幅をフック（３２）の引っ掛け位置を変えることによって調節してもよい。口の幅が大きいときには、支持ベルト（３）の底部の円弧部分は持ち上げられ、一方、口幅が小さいときには、支持ベルト（３）の底部の円弧部分は下げられ、かくして、支持ベルト（３）の高低位置の調節を実現する。ウエスト部分の異なる位置におけるボタン又は他の急速結合構造を、口端の幅を調節するのに使用してもよい。
【００１９】
実施形態４  図７に示す本発明の第４の実施形態では、この実施形態の構造は実施形態３の構造と同一である。支持ベルト（３）の頂部の広がり口の幅は、支持ベルト（３）に取付けられた補助ベルト（３３）によって調節することができる。支持ベルトを、補助ベルトによって内方に引張り又は弛めることにより、支持ベルト（３）の口の幅を変えることができる。
【００２０】
実施形態５  図８に示すように、この実施形態では、支持ベルト（３）の底部の円弧部分（３１）のみが弾性リボン等のような弾性材料でできている。円弧部分（３１）は正面部分（２）の底部に結合されてもよいし、或いはその底部と一緒に正面部分（２）の底部に結合されてもよい。円弧部分（３１）の弾性で、正面部分（２）の底部の円弧部分（３１）を引張ることによって、バッグ部分（２１）を形成することができる。前に説明した支持ベルト（３）の様々な弾性構造は、支持ベルト（３）の支持力を調節する能力を提供し、かくして陰嚢の下がりの程度を調整する。
【００２１】
支持ベルト（３）は正面部分（２）に及びその頂部末広がり部分でウエスト部分（１）にしっかりと結合されてもよい。支持ベルトの底部部分は弛められ、長さ調節具（５）が、弛められた部分の適当な位置に取付けられる。既存の種々の長さ調節具がすべて本発明に適している。長さ調節具（５）の機能は、陰嚢の下がり程度を調整するように、使用者の特別な状態に従って支持力を調節することにある。
【００２２】
上の説明で、本発明は種々の結合及び調節手段を実行することができ、その目的は、この種の男性のブリーフを着用中に、異なる要求を持つ使用者にもっと心地よく感じさせることである。種々の結合方法及び上に述べた支持力の調節方法は、本発明を説明するのに使用されていてるに過ぎず、本発明を限定するものではない。
【００２３】
実施形態６  本実施形態を図９に示す。支持ベルト（３）は、円弧形状を有し、且つ正面部分（２）の底部で２つのズボン脚部の間に位置し、且つ固定される。支持ベルトを異なる仕様であるようにデザインしてもよい。また、支持ベルト（３）を、図１０に示すように、正面部分（２）の傾斜したステッチの継目に取付けてもよく、本実施形態はある種の普通の三角形のブリーフに基づいてデザインされている。
【００２４】
上に述べた実施形態では、三角形のブリーフの正面部分（２）が、二層構造を（二層構造が普通であり、図示しないが）有する場合、支持ベルトの底部を固定した後に支持ベルト（３）を二層の正面部分の口から二層構造の中へ通してもよく、次いで上に述べた種々の結合、位置決め及び調節の仕掛けを正面部分（２）の二層構造の中間層の中に結合してもよい。この種の構造は、支持ベルト（３）が支持機能中に厚い正面部分による使用者の不快感を排除することができる。
【００２５】
実施形態７  図３及び図４に示すように、本実施形態では、支持ベルト（３）が、一種の直角の男性用ブリーフ及びズボン下の正面部分（２）及びウエスト部分（１）に結合されている。バッグ部分（２１）が、支持ベルト（３）と支持ベルトによって囲まれている正面部分（２）の部分によって形成されている。結合方法は第１の実施形態についてと同じ方法であり、再び述べない。本実施形態の支持機能は上に述べたことと全く同じである。
【図面の簡単な説明】
【００２６】
【図１】本発明により提案された三角のブリーフ及びズボン下の構造図。
【図２】本発明による着用中の三角のブリーフ及びズボン下の側面図。
【図３】本発明により提案された四角のブリーフ及びズボン下の構造図。
【図４】本発明による着用中の四角のブリーフ及びズボン下の側面図。
【図５】本発明の第２の実施形態の構造図。
【図６】本発明の第３の実施形態の構造図。
【図７】本発明の第４の実施形態の構造図。
【図８】本発明の第５の実施形態の構造図。
【図９】本発明の第６の実施形態の構造図。
【図１０】本発明の第６の実施形態の他の構造図。
【図１】
2006089911.tif 000003
【図２】
2006089911.tif 000004
【図３】
2006089911.tif 000005
【図４】
2006089911.tif 000006
【図５】
2006089911.tif 000007
【図６】
2006089911.tif 000008
【図７】
2006089911.tif 000009
【図８】
2006089911.tif 000010
【図９】
2006089911.tif 000011
【図１０】
2006089911.tif 000012